(57)【要約】【課題】  ジター発生を防止するために原稿搬送ローラに硬度の低い発泡材コロを使用し、さらに副作用として発生する鉛筆粉付着による汚れをも防ぐ原稿搬送用コロ、及びこれを備えた画像読み取り装置の原稿搬送機構を提供する。【解決手段】  画像読み取り装置において原稿を搬送するための原稿搬送用コロにおいて、原稿がこれを抜けるさいに前記原稿を押し出し、搬送速度に変化が生じないようにするために、硬質材スリーブ６を基礎とする発泡材コロ１０を使用し、さらに前記発泡材コロ１０に鉛筆原稿の鉛筆成分が付着することを防止するために前記発泡材コロ１０として発泡シリコンゴム４を使用したコロにＰＦＡチューブ５を設ける。【選択図】        図１
2006168964.tif 000002
【特許請求の範囲】
【請求項１】
発泡シリコンゴムから成る円筒状発泡材コロと、該発泡材コロの外周面に被覆したＰＦＡチューブと、から成ることを特徴とする原稿搬送用コロ。
【請求項２】
硬質材スリーブと、該硬質材スリーブの外周面に接着した発泡シリコンゴムと、該発泡シリコンゴムの外周面に固定したＰＦＡチューブとから成ることを特徴とする原稿搬送用コロ。
【請求項３】
請求項１または２記載の原稿搬送用コロを使用していることを特徴とする原稿搬送機構。
【請求項４】
Ａ０サイズ対応の大型原稿画像読み取り装置であって、原稿搬送テーブルの幅方向に沿って所定の配置で複数の原稿搬送コロを配置し、且つ原稿を端面合わせでセットするものにおいて、前記端面位置から一定範囲内に位置する原稿搬送コロのみに請求項１または２に記載の原稿搬送用コロを使用していることを特徴とする原稿搬送機構。
【請求項５】
Ａ０サイズ対応の大型原稿画像読み取り装置であって、原稿搬送テーブルの幅方向に沿って所定の配置で複数の原稿搬送コロを配置し、且つ原稿を中央合わせセットするものにおいて、前記中央から一定範囲内に位置する原稿搬送コロのみに請求項１または２に記載の原稿搬送用コロを使用していることを特徴とする原稿搬送機構。
【請求項６】
前記ＰＦＡチューブコロの色と、その他のコロの色とを同一色にしていることを特徴とする請求項４または５記載の原稿搬送機構。
【発明の詳細な説明】
【技術分野】
【０００１】
本発明は、複写機、ファックス、スキャナ及びそれらの複合機における画像読み取り装置において原稿を搬送するための原稿搬送用コロ及び画像読み取り装置の原稿搬送機構に関するものである。
【背景技術】
【０００２】
従来、画像形成装置において使用される原稿搬送部の原稿搬送コロ、または定着部の定着ローラ等の表面に、ジター発生原因となるコロの硬度の問題を解決するために、被覆材またはコーティングを施すことが知られている（例えば、特許文献１ないし５参照）。
上記問題を解決するために、特許文献１では、テフロン（登録商標）コーティングを施した原稿搬送コロが開示されている。特許文献２では、シリコンスポンジにフッ素チューブを被覆した定着加圧ローラが開示されている。特許文献３では、コア層にゴム層、外表面にフッ素樹脂層を設けた紙葉類搬送用ローラが開示されている。
特許文献４では、左端面をガイドに突き当てて給紙する原稿搬送装置で、分離ローラ、リタードローラもガイド側に寄せた配置とすることが開示されている。特許文献５では、中心合わせの原稿搬送装置において、レジストローラ対は分離ローラ対に整合して配置されている。
【特許文献１】特開平０５−１５５４５８号公報
【特許文献２】特開２００３−１０７９４４公報
【特許文献３】特開平１０−３３８３６８号公報
【特許文献４】特開２０００−１６５６１３公報
【特許文献５】特開２００１−３３５１９１公報
【発明の開示】
【発明が解決しようとする課題】
【０００３】
Ａ０サイズ対応広幅複写機等を構成する画像読み取り装置では、固定された画像読み取りセンサに対し、原稿を送りながら原稿上画像を読み取る方式が多く用いられる。
図７は従来の画像読み取り装置において原稿を送りながら原稿上画像を読み取る方式を説明する概略図である。図８は図７の構成の簡略側面図である。図９は原稿が厚紙である場合の原稿後端がコロを抜けるときを説明する概略図である。図１０は原稿が厚紙である場合の原稿後端がコロを抜けるときの通紙速度加速を説明する概略図である。
図７ないし図１０において、読み取りセンサ１は原稿２上にＸ方向を長手方向として配置されている。原稿搬送用コロ３も同様に原稿２上にＸ方向を長手方向として配置されている。
通常、原稿搬送用コロ３には硬質系プラスチックコロが多く用いられるが、原稿が厚紙である場合等、図９のように原稿後端が硬質系プラスチック製の原稿搬送用コロ３を抜けるさいに原稿搬送用コロ３にはじき出される勢いにより原稿速度に変動が生じ、読み取り画像が歪んでジターが発生し易い。
そのため、原稿搬送用コロ３をポリウレタン等の発泡スポンジ材とすることで、原稿後端が原稿搬送用コロ３をスムーズに通過する工夫を施した構成も採用されている。
しかし、通常の発泡スポンジ材には汚れ等が付着しやすく、とくに鉛筆書きの原稿を通紙したさいに鉛筆粉が付着してしまい、スポンジコロに付着、蓄積した鉛筆粉が次に通る原稿に再付着して原稿を汚してしまったり、読み取り画像に汚れ部分が異常画像として発生することが問題となっていた。
原稿を送りながら画像を読み取る画像読み取り装置構成特有の課題として、ジター発生原因となる原稿搬送用コロの硬度の課題を解決し、さらに原稿搬送機構特有の課題である鉛筆書き原稿によるコロの汚れに対する課題を解決することが望まれている。
そこで、本発明の目的は、上述した実情を考慮して、ジター発生を防止するために原稿搬送ローラに硬度の低い発泡材コロを使用し、さらに副作用として発生する鉛筆粉付着による汚れをも防ぐ原稿搬送用コロ、及びこれを備えた画像読み取り装置の原稿搬送機構を提供することにある。
【課題を解決するための手段】
【０００４】
上記の課題を解決するために、請求項１に記載の発明は、画像読み取り装置において原稿を搬送するための原稿搬送用コロにおいて、原稿がこれを抜けるさいに前記原稿を押し出し、搬送速度に変化が生じないようにするために発泡材コロを使用し、さらに前記発泡材コロに鉛筆原稿の鉛筆成分が付着することを防止するために前記発泡材コロとして発泡シリコンゴムを使用したコロにＰＦＡチューブを設ける原稿搬送用コロを特徴とする。
また、請求項２に記載の発明は、硬質材スリーブコロの周囲に発泡シリコンゴムを接着し、さらに発泡シリコンゴムの周囲にＰＦＡチューブを施す請求項１記載の原稿搬送用コロを特徴とする。
また、請求項３に記載の発明は、請求項２記載の原稿搬送用コロを使用している画像読み取り装置の原稿搬送機構を特徴とする。
また、請求項４に記載の発明は、Ａ０サイズ対応広幅複写機等を構成する大型原稿画像読み取り装置において、原稿のセットを端面合わせでセットする構成とし、合わせ端面位置から一定範囲のみに請求項１または２に示した発泡シリコンＰＦＡチューブコロからなる原稿搬送用コロを使用している画像読み取り装置の原稿搬送機構を特徴とする。
また、請求項５に記載の発明は、Ａ０サイズ対応広幅複写機等を構成する大型原稿画像読み取り装置において、原稿のセットを中央合わせでセットする構成とし、中央から一定範囲のみに請求項１または２に示した発泡シリコンＰＦＡチューブコロからなる原稿搬送用コロを使用している画像読み取り装置の原稿搬送機構を特徴とする。
また、請求項６に記載の発明は、前記ＰＦＡチューブコロの色と、その他のコロの色とを同一色にしている請求項４または５記載の画像読み取り装置の原稿搬送機構を特徴とする。
【発明の効果】
【０００５】
本発明によれば、硬度の低い発泡シリコンゴムローラを用いているため、原稿後端がコロをスムーズに抜け、読み取り画像のジターが発生しない。また、汚れの付着し難いＰＦＡチューブを施してあるため鉛筆書き原稿を通紙しても、鉛筆粉がコロに付着して後に通紙する原稿を汚すことがなくなる。
【発明を実施するための最良の形態】
【０００６】
以下、図面を参照して、本発明の実施の形態を詳細に説明する。図１は本発明によるコロ（ここでは原稿搬送用コロ）を示す分解図である。図２は図１の原稿搬送用コロを組み立てた状態で示す概略斜視図である。
図１及び図２において、原稿搬送用コロ３は発泡シリコンゴム４表面にＰＦＡチューブ５を固定したコロ部材３ａを、硬質材スリーブ６に取り付けて構成されている。硬質材スリーブ６は、例えば図のように軸方向両端部に大径のフランジを有し、中間部にはチューブ５を被着するための円筒部を有している。
つまり、本発明は、発泡シリコンゴムから成る円筒状発泡材コロ４と、該発泡材コロ４の外周面に被覆したＰＦＡチューブ５と、から成る構成が特徴的である。
ここで、ＰＦＡ：フッ素樹脂、テトラフルオロエチレン・パーフルオロアルキルビニルエーテル重合体は、耐薬品性、非粘着性、耐熱耐寒性等に優れるという特徴がある。特許文献２のように画像形成装置の定着ユニットの加圧ローラにおいて、ニップ幅確保及び紙の分離性を良くする等の目的で、シリコンゴムにＰＦＡチューブを施したローラの使用例がある。
この構成によれば、原稿が原稿搬送用コロ３を通過するさい、後端がスムーズにこの原稿搬送用コロ３を抜けるようにしてジターの発生を防止し、さらに表面に鉛筆粉等の汚れが付着し難いＰＦＡチューブを施すことで発泡スポンジコロ使用に伴う副作用である鉛筆粉付着による汚れも防止する。
【０００７】
図１のように、発泡シリコンＰＦＡチューブコロ３ａを硬質材スリーブ６と別部品とし、後者に対して前者を組み付けるとすると、組み付け作業時にコロが引き伸ばされて、図２のように組み付け後にチューブ表面にしわ７が残ってしまい搬送性能に問題が生じる原因となり得る。
図３は硬質材スリーブの中央円筒部外周に均一厚の発泡シリコンゴムを接着させたコロにＰＦＡチューブを巻いた構成を示す概略図である。図３において、硬質材スリーブ６に予め発泡シリコンゴム４を接着させたコロ３ａの外周面に、後からＰＦＡチューブ５を巻いた構成とすることによって、発泡ＰＦＡコロ（図１の３ａ）を硬質材スリーブ６に後付けする作業が不要となり、しわの発生が起らない。
つまり、本発明は、硬質材スリーブ６と、該硬質材スリーブ６の外周面に接着した発泡シリコンゴム４と、発泡シリコンゴムを接着した後にその外周面に固定したＰＦＡチューブ５とから成る構成が特徴的である。
広幅用紙対応機特有のコロ使用個数の多さに対し、用紙サイズによって異なるコロの使用状態を考慮し、使用頻度に合わせたコロ配置構成とすることで、効率的なコスト低減効果を得られるようにしている。したがって、ジター及び原稿の鉛筆粉による汚れの防止をも可能とした原稿送り式画像読み取り装置を提供することができる。
図７及び図８に示すような原稿送り式画像読み取り装置では、原稿２の幅が広くなる程、コロ３の使用個数が多くなる。Ａ０サイズのような広幅サイズ対応機では、コロの使用個数が多いため、すべてのコロに上述したようなコロを使用すると、かなりの高コストとなってしまう。
そこで、図３のように予め硬質材スリーブ６を芯にした状態で発泡シリコンゴム４を接着したコロ３ａを作成し、それに対しＰＦＡチューブ５を施したコロとする。このコロを図７の複数のコロ３の全てではなく必要最小限の数だけ、最適の箇所に使用する。
図４はＡ系列Ａ４〜Ａ０サイズまでに対応した機器を例として説明する概略図である。図４のように、原稿端面を右側サイドフェンス７に押し当ててセットするような構成の機器では、原稿搬送時にＡ４、Ａ３サイズ原稿は左側３つのコロ部分を通過しない。
そのため、複数サイズの原稿を何度も通すと、左側３つのコロの使用頻度は、残りのコロに比べて使用頻度が少なくなる。そこで、使用頻度が高く汚れの蓄積しやすい右側３つのコロに本発明のＰＦＡチューブコロ８を使用し、使用頻度が少なく汚れの蓄積しにくい左側３つのコロは発泡ポリウレタン等の発泡スポンジコロ１０を使用する。なお、図中符号９は原稿テーブルを示している。
【０００８】
図５はＡ系列Ａ４〜Ａ０サイズまでに対応した機器の他の例を説明する概略図である。図５のように、原稿テーブル９中央と原稿中央を合わせ、原稿両端を、横方向に移動可能な左右のサイドフェンス７で挟み込むように合わせてセットする中央基準の原稿セット構成を用いる。
原稿搬送時、Ａ４、Ａ３サイズ原稿は、中央３つのコロの部分のみを通過し、それより外側のコロの部分は通過しない。そこで、使用頻度が高く、汚れの蓄積しやすい中央３つのコロに本発明のＰＦＡチューブコロ８を使用し、使用頻度が少なく汚れの蓄積しにくいその他のコロは、発泡ポリウレタン等の発泡スポンジコロ１０を使用する。
この構成は紙サイズによって異なる原稿通過位置を考慮し、使用頻度が高く汚れの蓄積しやすい箇所にのみ、高価格のコロを使用することで、コスト低減を効率的に実現するようにしている。これによって、使用頻度が高く汚れの蓄積しやすい個所にだけ高価格なＰＦＡチューブコロを使用することで高価格のコロの使用個数を減らし、効率的なコスト低減を実現する。
コロが外観に影響する位置に配置される場合、端面からある範囲にＰＦＡコロを使用すると、使用する範囲によって、外観上左右のバランスが悪くなるが、中央合わせにしてある範囲までをＰＦＡコロを使用する構成にした方が、バランスが取り易くなり、外観上の悪影響を低減し易い。
同一軸に別種類のコロを使用するさい、コロが外観として見える場所に位置する場合、コロ同士の外観が不揃いとなって見栄えが悪くなる。よってすべてのコロを同一色とすることで、外観への影響をなくし、本構成の商品としての実現性をもたせる。
図６は使用するコロの色を同一にしている例を示す概略図である。図４及び図５に示した構成において、発泡スポンジコロ１０とＰＦＡチューブコロ８のＰＦＡチューブ表面を黒色（その他の同一色）で統一する。図６は端面合わせ構成の場合の例を示している。同一軸に別種類のコロを混合配置しても、外観上区別できないため問題がない。したがって、コスト低減を狙ったコロの混合配置がより実現し易くなる。
【図面の簡単な説明】
【０００９】
【図１】本発明によるコロ（ここでは原稿搬送用コロ）を示す分解図。
【図２】図１の原稿搬送用コロを組み立てた状態で示す概略斜視図。
【図３】硬質材スリーブに発泡シリコンゴムを接着させたコロにＰＦＡチューブを巻いた構成を示す概略図。
【図４】Ａ系列Ａ４〜Ａ０サイズまでに対応した機器を例として説明する概略図。
【図５】Ａ系列Ａ４〜Ａ０サイズまでに対応した機器の他の例を説明する概略図。
【図６】使用するコロの色を同一にしている例を示す概略図。
【図７】従来の画像読み取り装置における原稿を送りながら原稿上画像を読み取る方式を説明する概略図。
【図８】図７の構成の簡略側面図。
【図９】原稿が厚紙である場合の原稿後端がコロを抜けるときを説明する概略図。
【図１０】原稿が厚紙である場合の原稿後端がコロを抜けるときの通紙速度加速を説明する概略図。
【符号の説明】
【００１０】
１  画像読み取りセンサ
２  原稿
３  コロ（原稿搬送用コロ）
４  発泡シリコンゴム
５  ＰＦＡチューブ
６  硬質材スリーブ
７  サイドフェンス
８  ＰＦＡチューブコロ
９  原稿テーブル
１０  発泡スポンジコロ
【図１】
2006168964.tif 000003
【図２】
2006168964.tif 000004
【図３】
2006168964.tif 000005
【図４】
2006168964.tif 000006
【図５】
2006168964.tif 000007
【図６】
2006168964.tif 000008
【図７】
2006168964.tif 000009
【図８】
2006168964.tif 000010
【図９】
2006168964.tif 000011
【図１０】
2006168964.tif 000012